【手続補正書】
【提出日】平成20年8月22日(2008.8.22)
【手続補正１】
【補正対象書類名】特許請求の範囲
【補正対象項目名】全文
【補正方法】変更
【補正の内容】
【特許請求の範囲】
【請求項１】
受信信号のセグメント数に基づいて局部発振周波数を設定した局部発振信号を生成する局部発振器と、
前記局部発振信号及び前記受信信号を混合することにより、前記受信信号を中間周波信号に変換する混合器と、
前記中間周波信号のフィルタリングを行う中間周波フィルタと、
前記中間周波フィルタにてフィルタリングされた中間周波信号の復調処理を行う復調部と、
前記受信信号のセグメント数に基づいて、前記局部発振器にて生成された局部発振信号の局発レベルを制御する局発レベル制御部と
を有することを特徴とする受信装置。
【請求項２】
受信信号のセグメント数に基づいて局部発振周波数を設定した局部発振信号を生成する局部発振器と、
前記局部発振信号及び前記受信信号を混合することにより、前記受信信号を中間周波信号に変換する混合器と、
前記中間周波信号のフィルタリングを行う中間周波フィルタと、
前記中間周波フィルタにてフィルタリングされた中間周波信号の復調処理を行う復調部と、
前記受信信号のセグメント数に基づいて、前記混合器に入力される受信信号のレベルを制御する入力レベル制御部と
を有することを特徴とする受信装置。
【請求項３】
前記受信信号を受信するアンテナと前記混合器との間に設けられ、前記セグメント数が所定値以上の受信信号に混合される局部発振信号を減衰させるトラップをさらに有することを特徴とする請求項１または２記載の受信装置。
【請求項４】
前記復調部は、前記中間周波信号に基づいて前記受信信号のセグメント数を検出することを特徴とする請求項１から３のいずれか１項記載の受信装置。
【請求項５】
前記局部発振器は、前記受信信号のセグメント数が１の場合、前記中間周波信号の中心周波数が０．５ＭＨｚ、前記受信信号のセグメント数が３の場合、前記中間周波信号の中心周波数が１ＭＨｚ、前記受信信号のセグメント数が１３の場合、前記中間周波信号の中心周波数が４ＭＨｚになるように、前記局部発振信号の局部発振周波数を変化させることを特徴とする請求項１から４のいずれか１項記載の受信装置。
【請求項６】
前記受信信号は、地上デジタル放送の信号であることを特徴とする請求項１から５のいずれか１項記載の受信装置。
【請求項７】
受信信号のセグメント数に基づいて、局部発振周波数と局発レベルとを設定し、
前記局部発振周波数と前記局発レベルとに基づいて局部発振信号を生成し、
前記局部発振信号と前記受信信号とを混合することにより、前記受信信号を中間周波信号に変換し、
前記中間周波信号のフィルタリングを行い、
前記フィルタリングされた中間周波信号を復調する
ことを特徴とする受信方法。
【請求項８】
受信信号のセグメント数に基づいて局部発振周波数を設定し、
前記設定された局部発振周波数に基づいて局部発振信号を生成し、
前記受信信号のセグメント数に基づいて、前記受信信号の信号レベルを制御し、
前記局部発振信号と、前記信号レベルを制御された受信信号とを混合することにより、前記受信信号を中間周波信号に変換し、
前記中間周波信号のフィルタリングを行い、
前記フィルタリングされた中間周波信号を復調する
ことを特徴とする受信方法。
【手続補正２】
【補正対象書類名】明細書
【補正対象項目名】発明の名称
【補正方法】変更
【補正の内容】
【発明の名称】受信装置および受信方法
【手続補正３】
【補正対象書類名】明細書
【補正対象項目名】０００１
【補正方法】変更
【補正の内容】
【０００１】
本発明は受信装置および受信方法に関し、特に、地上デジタル放送を受信する放送受信機に好適なものである。
【手続補正４】
【補正対象書類名】明細書
【補正対象項目名】０００４
【補正方法】変更
【補正の内容】
【０００４】
そこで、本発明の目的は、電磁放射ノイズを抑制しつつ、低消費電力化を図るとともに、受信周波数信号への局部発振信号の回り込みを低減することが可能な受信装置および受信方法を提供することである。
【手続補正５】
【補正対象書類名】明細書
【補正対象項目名】０００５
【補正方法】変更
【補正の内容】
【０００５】
上述した課題を解決するために、本発明の一態様に係る受信装置によれば、受信信号のセグメント数に基づいて局部発振周波数を設定した局部発振信号を生成する局部発振器と、前記局部発振信号及び前記受信信号を混合することにより、前記受信信号を中間周波信号に変換する混合器と、前記中間周波信号のフィルタリングを行う中間周波フィルタと、前記中間周波フィルタにてフィルタリングされた中間周波信号の復調処理を行う復調部と、前記受信信号のセグメント数に基づいて、前記局部発振器にて生成された局部発振信号の局発レベルを制御する局発レベル制御部とを有することを特徴とする。
【手続補正６】
【補正対象書類名】明細書
【補正対象項目名】０００７
【補正方法】変更
【補正の内容】
【０００７】
また、本発明の一態様に係る受信装置によれば、受信信号のセグメント数に基づいて局部発振周波数を設定した局部発振信号を生成する局部発振器と、前記局部発振信号及び前記受信信号を混合することにより、前記受信信号を中間周波信号に変換する混合器と、前記中間周波信号のフィルタリングを行う中間周波フィルタと、前記中間周波フィルタにてフィルタリングされた中間周波信号の復調処理を行う復調部と、前記受信信号のセグメント数に基づいて、前記混合器に入力される受信信号のレベルを制御する入力レベル制御部とを有することを特徴とする。
【手続補正７】
【補正対象書類名】明細書
【補正対象項目名】０００９
【補正方法】変更
【補正の内容】
【０００９】
また、本発明の一態様に係る受信装置によれば、前記受信信号を受信するアンテナと前記混合器との間に設けられ、前記セグメント数が所定値以上の受信信号に混合される局部発振信号を減衰させるトラップをさらに有することを特徴とする。
これにより、受信信号と局部発振信号との周波数がある程度以上離れている場合においては、局部発振信号の漏洩をトラップにて除去することが可能となる。このため、Ｃ／Ｎ比に余裕がない場合においても、受信性能の劣化を抑制しつつ、低消費電力化を図ることが可能となるとともに、電磁放射ノイズを抑制しつつ、無線周波数信号への局部発振信号の回り込みを低減することが可能となる。
【手続補正８】
【補正対象書類名】明細書
【補正対象項目名】００１２
【補正方法】変更
【補正の内容】
【００１２】
これにより、低消費電力化を図りつつ、地上デジタル放送におけるハイビジョン放送や携帯受信機向けサービスなどに対応することが可能となるとともに、他の機器への妨害および本来の受信への妨害を抑制することができる。
また、本発明の一態様に係る受信装置によれば、前記受信信号は、地上デジタル放送の信号であることを特徴とする。
また、本発明の一態様に係る受信方法によれば、受信信号のセグメント数に基づいて、局部発振周波数と局発レベルとを設定し、前記局部発振周波数と前記局発レベルとに基づいて局部発振信号を生成し、前記局部発振信号と前記受信信号とを混合することにより、前記受信信号を中間周波信号に変換し、前記中間周波信号のフィルタリングを行い、前記フィルタリングされた中間周波信号を復調することを特徴とする。
また、本発明の一態様に係る受信方法によれば、受信信号のセグメント数に基づいて局部発振周波数を設定し、前記設定された局部発振周波数に基づいて局部発振信号を生成し、前記受信信号のセグメント数に基づいて、前記受信信号の信号レベルを制御し、前記局部発振信号と、前記信号レベルを制御された受信信号とを混合することにより、前記受信信号を中間周波信号に変換し、前記中間周波信号のフィルタリングを行い、前記フィルタリングされた中間周波信号を復調することを特徴とする。